(57)【要約】【課題】コネクタの組み立て作業性の向上を図る。【解決手段】本明細書によって開示されるコネクタは、電線Ｗの端末に装着されるシールドコネクタ１０であって、電線Ｗの端末に接続されるＬ字状端子２０と、Ｌ字状端子２０および電線Ｗを収容するリアハウジング３０と、リアハウジング３０において下方に開口して設けられた電線導入部３２と、リアハウジング３０において前方に開口して設けられ、電線導入部３２から導入された電線Ｗを引き出してＬ字状端子２０を接続した後、電線Ｗが引き入れられる嵌合筒部３１と、嵌合筒部３１の開口縁部に凹設され、嵌合筒部３１から電線Ｗを引き出したり、電線Ｗを引き入れたりする際に、電線Ｗが挿通される逃がし凹部３７と、電線導入部３２内に設けられ、電線Ｗを逃がし凹部３７に向けて案内する案内リブ３８とを備えているところに特徴を有する。【選択図】図７
2016048604.tif 000002
【特許請求の範囲】
【請求項１】
電線の端末に装着されるコネクタであって、
前記電線の端末に接続される端子と、
前記端子および前記電線を収容するハウジングと、
前記ハウジングに開口して設けられ前記電線を導入する電線導入部と、
前記ハウジングにおいて前記電線導入部と交差する方向に開口して設けられ、前記電線導入部から導入された前記電線を引き出して前記端子を接続した後、前記電線と共に前記端子が引き入れられる電線出入部と、
前記電線出入部の開口縁部に凹設され、前記電線出入部から前記電線を引き出す際、または前記電線出入部に前記電線を引き入れる際に、前記電線が挿通される逃がし凹部と、
前記電線導入部内に設けられ、前記電線を前記逃がし凹部に向けて案内する案内部とを備えているコネクタ。
【請求項２】
前記ハウジングには、同ハウジングを覆う金属製のシールドシェルが装着可能とされており、
前記電線出入部の開口縁部は、前記シールドシェルを引っ掛けることにより前記シールドシェルが前記電線出入部の開口方向とは反対方向に位置ずれすることを抑制する位置ずれ防止部とされている請求項１に記載のコネクタ。
【請求項３】
前記電線出入部内には、前記端子を保持するフロントハウジングが嵌合可能とされており、
前記フロントハウジングの外周面には、前記電線出入部に密着することで前記電線出入部と前記フロントハウジングとの間をシールするシール部材が嵌着されており、
前記逃がし凹部は、前記電線出入部における前記シール部材が密着する位置よりも前記電線出入部の開口端側に設けられている請求項１または請求項２に記載のコネクタ。
【請求項４】
前記電線導入部内には、前記電線と前記電線導入部との間をシールするゴムリングが収容可能で、かつ、このゴムリングを正規の位置に位置決めする位置決め部が設けられており、
前記案内部は、前記電線との干渉を避けるように前記位置決め部の一部を傾斜状にして形成されている請求項１から請求項３の何れか一項に記載のコネクタ。
【請求項５】
前記ハウジングにおいて前記電線導入部の開口部分と前記逃がし凹部との間には、前記電線を引き出す際または前記電線を引き入れる際に、直線状の前記電線が挿通される挿通空間が設けられている請求項１から請求項４の何れか一項に記載のコネクタ。
【請求項６】
前記ハウジングにおいて前記電線導入部と前記電線出入部とを繋ぐ部分は、ハウジング本体とされており、
前記ハウジング本体において前記電線導入部を通して外方に臨む位置には、前記ハウジング本体内に挿入される前記電線を前記逃がし凹部に向けて案内する補助案内部が設けられている請求項１から請求項５の何れか一項に記載のコネクタ。
【発明の詳細な説明】
【技術分野】
【０００１】
本明細書によって開示される技術は、コネクタに関する。
【背景技術】
【０００２】
例えば、シールド電線の端末に装着されるコネクタとして、特開２０１１−１１９１２０号公報（下記特許文献１）に記載のものが知られている。
このコネクタは、シールド電線の端末に接続されたＬ字型端子と、Ｌ字型端子と共にシールド電線を内部に収容するアルミハウジングとを備えて構成されている。
【０００３】
アルミハウジングは、シールド電線が導入される下方とシールド電線の導入方向と直交する方向である前方とに開口する箱形状に形成されている。アルミハウジング内にシールド電線の端末に接続されたＬ字型端子を収容するには、まず、電線の挿通作業として、アルミハウジングの下端開口からシールド電線を挿入し、ハウジング内でシールド電線を前方に向けて屈曲させた後、ハウジングの前端開口からシールド電線を引き出す。そして、ハウジングから引き出された電線の端末に端子金具を接続し、電線を引き戻すことによりハウジング内に端子金具と電線とを収容する。
【先行技術文献】
【特許文献】
【０００４】
【特許文献１】特開２０１１−１１９１２０号公報
【発明の概要】
【発明が解決しようとする課題】
【０００５】
ところで、上記のアルミハウジングに電線径が大きい大径電線を適用させようとすると、大径電線は柔軟性が悪く屈曲させ難いため、電線の挿通作業がし辛く、コネクタの組み立て作業性が悪くなってしまう。
【０００６】
本明細書では、コネクタの組み立て作業性の向上を図る技術を開示する。
【課題を解決するための手段】
【０００７】
本明細書によって開示される技術は、電線の端末に装着されるコネクタであって、前記電線の端末に接続される端子と、前記端子および前記電線を収容するハウジングと、前記ハウジングに開口して設けられ前記電線を導入する電線導入部と、前記ハウジングにおいて前記電線導入部と交差する方向に開口して設けられ、前記電線導入部から導入された前記電線を引き出して前記端子を接続した後、前記電線と共に前記端子が引き入れられる電線出入部と、前記電線出入部の開口縁部に凹設され、前記電線出入部から前記電線を引き出す際、または前記電線出入部に前記電線を引き入れる際に、前記電線が挿通される逃がし凹部と、前記電線導入部内に設けられ、前記電線を前記逃がし凹部に向けて案内する案内部とを備えているところに特徴を有する。
【０００８】
このような構成のコネクタによると、案内部によって電線が逃がし凹部に向けて案内され、案内された電線が逃がし凹部内を通過するから、例えば、逃がし凹部や案内部が設けられていない場合に比べて、電線を大きく屈曲させることなくハウジングに電線を挿通させたり、挿通させた電線をハウジング内に引き戻したりする電線の挿通作業を容易に行うことができる。つまり、柔軟性が悪く屈曲させ難い電線であっても電線の挿通作業が容易となり、コネクタの組み立て作業性を向上させることができる。
【０００９】
本明細書によって開示される技術の態様として、以下の構成が好ましい。
前記ハウジングには、同ハウジングを覆う金属製のシールドシェルが装着可能とされており、前記電線出入部の開口縁部は、前記シールドシェルを引っ掛けることにより前記シールドシェルが前記電線出入部の開口方向とは反対方向に位置ずれすることを抑制する位置ずれ防止部とされている構成としてもよい。
このような構成によると、シールドシェルが位置ずれすることを防ぐ位置ずれ防止部に逃がし凹部が形成されているから、シールドシェルの位置ずれを防ぐ機能を生かしつつ、電線の挿通作業を容易にすることができる。
【００１０】
前記電線出入部内には、前記端子を保持するフロントハウジングが嵌合可能とされており、前記フロントハウジングの外周面には、前記電線出入部とに密着することで前記電線出入部と前記フロントハウジングとの間をシールするシール部材が嵌着されており、前記逃がし凹部は、前記電線出入部における前記シール部材が密着する位置よりも前記電線出入部の開口端側に設けられている構成としてもよい。
このような構成によると、ハウジングとフロントハウジングとの間の防水機能を確保しつつ、電線の挿通作業を容易にすることができる。
【００１１】
前記電線導入部内には、前記電線と前記電線導入部との間をシールするゴムリングが収容可能で、かつ、このゴムリングを正規の位置に位置決めする位置決め部が設けられており、前記案内部は、前記電線との干渉を避けるように前記位置決め部の一部を傾斜状にして形成されている構成としてもよい。
このような構成によると、位置決め部の一部を傾斜状にして案内部とすることにより、電線の挿通作業における電線と位置決め部との干渉を防ぎつつ、案内部によって電線を逃がし凹部に向けて案内することができる。
【００１２】
前記ハウジングにおいて前記電線導入部の開口部分と前記逃がし凹部との間には、前記電線を引き出す際または前記電線を引き入れる際に、直線状の前記電線が挿通される挿通空間が設けられている構成としてもよい。
このような構成によると、案内部によって案内された直線状の電線を、挿通空間および逃がし凹部を通して挿通することができるから、電線の挿通作業がさらに容易となり、コネクタの組み立て作業性をさらに向上させることができる。
【００１３】
前記ハウジングにおいて前記電線導入部と前記電線出入部とを繋ぐ部分は、ハウジング本体とされており、前記ハウジング本体において前記電線導入部を通して外方に臨む位置には、前記ハウジング本体内に挿入される前記電線を前記逃がし凹部に向けて案内する補助案内部が設けられている構成としてもよい。
このような構成によると、例えば、電線導入部の開口方向からハウジング本体内に向けて真っ直ぐ挿入された電線についても補助案内部によって逃がし凹部に向けて案内することができる。これにより、電線の挿通作業をさらに容易にすることができる。
【発明の効果】
【００１４】
本明細書によって開示される技術によれば、コネクタの組み立て作業性の向上を図ることができる。
【図面の簡単な説明】
【００１５】
【図１】コネクタの斜視図
【図２】コネクタの縦断面図
【図３】コネクタの分解斜視図
【図４】リアハウジングの正面図
【図５】リアハウジングの平面図
【図６】リアハウジングの底面図
【図７】リアハウジングに電線が挿入される過程を示す断面図であって、図４のＡ−Ａ線の断面に相当する断面図
【図８】リアハウジングに電線が挿通された状態を示す断面図であって、図４のＡ−Ａ線の断面に相当する断面図
【発明を実施するための形態】
【００１６】
＜実施形態＞
実施形態について図１から図８を参照しつつ説明する。
本実施形態は、図１に示すように、電線Ｗの端末に装着されて機器のケースなどに固定されるシールドコネクタ（「コネクタ」の一例）１０を例示している。なお、以下の説明において、上下方向とは、図２および図４における上下方向を基準として説明する。また、前後方向とは、図２における左右方向を基準とし、図示左方を前方、図示右方を後方として説明する。
【００１７】
シールドコネクタ１０は、図１から図３に示すように、電線Ｗの端末に接続されるＬ字状端子（「端子」の一例）２０と、複数（本実施形態では２つ）のＬ字状端子２０および電線Ｗを収容する合成樹脂製のリアハウジング（「ハウジング」の一例）３０と、Ｌ字状端子２０を支持してリアハウジング３０内に嵌合されるフロントハウジング４０と、リアハウジング３０を覆う金属製のシールドシェル５０とを備えて構成されている。
【００１８】
Ｌ字状端子２０は、導電性に優れた金属板材をプレスなどの方法で加工することにより、図２および図３に示すように、幅狭で前後方向に長い略Ｌ字状に形成されている。Ｌ字状端子２０は、幅狭で前後方向に長い平板状の端子本体２１と、端子本体２１の後端部から下方に延出して設けられた電線接続部２２とを有しており、電線接続部２２が電線Ｗの端末に圧着されることで電線Ｗの端末にＬ字状端子２０が接続固定されている。
端子本体２１の前端部は、ボルト挿通孔２４を有するボルト締結部２３とされており、端子本体２１の後端部における一方の側縁には、幅方向に突出する突部２５が設けられている。
【００１９】
フロントハウジング４０は、図１および図３に示すように、前半分が略円筒状をなしており、略円筒状部分の外周面には略円形状の第１シールリング４１が嵌着されている。フロントハウジング４０の後半分は、図３に示すように、四隅が丸みを帯びた略矩形状をなすハウジング側嵌合部４２とされており、ハウジング側嵌合部４２の外周には、図２および図３に示すように、略矩形環状の第２シールリング（「シール部材」の一例）４３が嵌着されている。
【００２０】
フロントハウジング４０の内部には、図１から図３に示すように、前後に貫通するキャビティ４４が幅方向に複数（本実施形態では２つ）並んで形成されている。キャビティ４４には、後方からＬ字状端子２０が収容可能とされており、キャビティ４４内における正規の位置までＬ字状端子２０が収容されると、Ｌ字状端子２０の突部２５がキャビティ４４内に設けられた図示しない前止まり部に後方から当接することで、Ｌ字状端子２０が前止まりされるようになっている。
【００２１】
リアハウジング３０は、図２に示すように、フロントハウジング４０のハウジング側嵌合部４２が内部に嵌合される嵌合筒部（「電線出入部」の一例）３１と、下方から電線Ｗが導入される電線導入部３２と、嵌合筒部３１と電線導入部３２とをＬ字状に繋ぐハウジング本体３３とを備えて構成されている。
嵌合筒部３１は、図３および図４に示すように、前方に向けて開口する略角筒状に形成されている。嵌合筒部３１の後端内周面は、図２に示すように、嵌合筒部３１内にハウジング側嵌合部４２が嵌合された際に、ハウジング側嵌合部４２の第２シールリング４３が密着するシール面３１Ａとされており、嵌合筒部３１内にハウジング側嵌合部４２が嵌合され、ハウジング側嵌合部４２の外周面とシール面３１Ａとに第２シールリング４３が密着することにより、図２に示すように、フロントハウジング４０とリアハウジング３０との間の防水が図られるようになっている。
【００２２】
嵌合筒部３１の幅方向両側縁には、図３および図７に示すように、嵌合筒部３１の前縁からやや前方に突出する略矩形状の突出片３１Ｂが設けられている。各突出片３１Ｂには、シール面３１Ａの前端から前方に向けて片持ち状に延出された略矩形枠状の弾性係止枠３１Ｃが上下に一対並んで設けられている。各弾性係止枠３１Ｃは、ハウジング側嵌合部４２の幅方向両側面に対応して設けられた係止突部４５と前後に係止可能とされている。各弾性係止枠３１Ｃは、嵌合筒部３１内にハウジング側嵌合部４２が嵌合される過程で幅方向外側に向けて弾性変位して係止突部４５に乗り上げ、嵌合筒部３１内にハウジング側嵌合部４２が嵌合されると、係止突部４５と前後に係止することにより、嵌合筒部３１とハウジング側嵌合部４２とを嵌合状態にロックする。
【００２３】
ハウジング本体３３は、図３から図８に示すように、内部に収容空間Ｓを有する箱形状をなしており、嵌合筒部３１内にハウジング側嵌合部４２が嵌合されると、ハウジング側嵌合部４２の後方に配されたＬ字状端子２０の電線接続部２２が電線Ｗの端末部分と共に収容空間Ｓ内に収容されるようになっている。また、嵌合筒部３１内にハウジング側嵌合部４２が嵌合されると、図２に示すように、端子本体２１の突部２５が、ハウジング本体３３の後面から前方に向けてリブ状に延びる端子係止部３３Ａによって後方から係止され、キャビティ４４内に収容されたＬ字状端子２０の後方への抜け止めが図られる。
【００２４】
電線導入部３２は、図４および図６に示すように、幅方向に横長な筒状をなしており、電線導入部３２内には、図２に示すように、ハウジング本体３３の収容空間Ｓと上下方向に連通する一対の電線挿通孔３４が下方に開口して設けられている。言い換えると、電線導入部３２は、嵌合筒部３１の開口方向と直角に交差する方向である下方に開口した形態とされている。
各電線挿通孔３４には、Ｌ字状端子２０の電線接続部２２から下方に延びる電線Ｗがそれぞれ挿通可能とされており、各電線挿通孔３４の大きさは、Ｌ字状端子２０が挿通できない大きさとされている。
【００２５】
つまり、フロントハウジング４０およびリアハウジング３０内に電線Ｗに接続されたＬ字状端子２０を収容する際には、まず、電線導入部３２の下方から電線Ｗを電線挿通孔３４に挿入して、嵌合筒部３１から電線Ｗを引き出し、引き出された電線Ｗの端末にＬ字状端子２０を接続する。そして、嵌合筒部３１から電線Ｗと共にＬ字状端子２０を引き入れることで、電線Ｗに接続されたＬ字状端子２０をフロントハウジング４０およびリアハウジング３０内に収容する。
【００２６】
各電線挿通孔３４の下部には、図２および図３に示すように、電線導入部３２と電線Ｗとの間を止水するゴムリングＲがゴム栓押さえＲ１によって抜け止めされた状態で収容されるようになっており、電線挿通孔３４内の上部には、ゴムリングＲを当て止めする位置決め部３５が設けられている。
位置決め部３５は、図２から図４、図７に示すように、上下に延びたリブ状をなしており、電線挿通孔３４の幅方向両側および前側の内周面にそれぞれ一対設けられている。電線Ｗが挿通されたゴムリングＲが電線挿通孔３４に挿入され、ゴムリングＲが正規の収容位置に至ると、図２に示すように、ゴムリングＲが位置決め部３５に下方から当接することで、ゴムリングＲが正規の収容位置に位置決めされ、電線導入部３２と電線Ｗとの間が止水されるようになっている。
【００２７】
シールドシェル５０は、図１から図３に示すように、リアハウジング３０の嵌合筒部３１およびハウジング本体３３を覆うアッパシェル５１と、リアハウジング３０の電線導入部３２を全周に亘って覆うロアシェル５２とを有しており、アッパシェル５１に下方からロアシェル５２を下方から組み付けることで、シールドシェル５０が構成されるようになっている。
【００２８】
アッパシェル５１は、 前方および下方に開口した箱形状をなしており、嵌合筒部３１およびハウジング本体３３に対して上方から組み付けることで嵌合筒部３１およびハウジング本体３３がアッパシェル５１内に収容され、嵌合筒部３１およびハウジング本体３３の上面と後面と幅方向両側の側面との４面のほぼ全体がアッパシェル５１に覆われるようになっている。
また、アッパシェル５１の上板５１Ａにおける前縁には、リアハウジング３０の嵌合筒部３１における上端縁に前方から係止可能な引っ掛け部５３が設けられている。引っ掛け部５３は、上板５１Ａの前縁から僅かに下方に向けて延出された形態とされており、アッパシェル５１の幅方向両側における側板５１Ｂに連なる形態で上板５１Ａの全幅に亘って形成されている。
【００２９】
引っ掛け部５３は、嵌合筒部３１およびハウジング本体３３に対してアッパシェル５１を上方から組み付けた際に、図２に示すように、嵌合筒部３１における上端縁の前方に近接して配されるようになっており、嵌合筒部３１における上端縁部と引っ掛け部５３とが前後に係止することで、リアハウジング３０に対してアッパシェル５１が後方に位置ずれしたり、脱落したりすることを防ぐことができるようになっている。つまり、嵌合筒部３１においてシール面３１Ａよりも前側の上端開口縁部は、アッパシェル５１の後方への位置ずれや後方への脱落を防止する平板状の位置ずれ防止部３６とされている。
【００３０】
ロアシェル５２は、図２および図３に示すように、嵌合筒部３１およびハウジング本体３３の下端部を収容してアッパシェル５１の下端開口を塞ぐプレート部５５と、プレート部５５の下面に筒状に設けられた筒状部５６とを備えて構成されており、筒状部５６内には、アッパシェル５１に対してロアシェル５２を下方から組み付ける際に、リアハウジング３０の電線導入部３２が上方から嵌合されるようになっている。
【００３１】
プレート部５５は、図２および図３に示すように、上方に開口した浅い箱形状をなしており、アッパシェル５１に対してロアシェル５２を下方から組み付けると、プレート部５５によってアッパシェル５１の下端開口が塞がれ、プレート部５５がアッパシェル５１と共にリアハウジング３０の嵌合筒部３１およびハウジング本体３３全体を覆うようになっている。また、アッパシェル５１に対してロアシェル５２を下方から組み付けると、嵌合筒部３１の位置ずれ防止部３６とアッパシェル５１の引っ掛け部５３とが前後に係止すると共に、嵌合筒部３１の下端縁部とプレート部５５とが前後に係止することで、シールドシェル５０がリアハウジング３０から後方に脱落しないように保持されるようになっている。
【００３２】
また、ロアシェル５２の幅方向両側には、図１および図３に示すように、一対の組付片５７が設けられており、アッパシェル５１の幅方向両側には、一対の組付片５７と対応して設けられた一対の組付部５４とが設けられている。各組付片５７と組付部５４とを上下方向にねじ止めすることで、アッパシェル５１とロアシェル５２とが上下方向に互いに組み付けられた状態に保持されるようになっている。
【００３３】
さて、リアハウジング３０の嵌合筒部３１における位置ずれ防止部３６には、図２から図５に示すように、電線Ｗに対応する逃がし凹部３７が幅方向に一対並んで凹設されており、電線挿通孔３４内の上部における後側内周面には、図２、図４、図６から図８に示すように、電線挿通孔３４に挿入される電線Ｗを斜め前上方の逃がし凹部３７に向かって案内する一対の案内リブ（「案内部」の一例）３８が設けられている。
一対の案内リブ３８は、図２、図５から図８に示すように、電線挿通孔３４内の前側の一対の位置決め部３５と前後に対向するように幅方向に並んで形成されており、一対の案内リブ３８の幅方向の間隔は、電線Ｗの電線径よりも小さく設定されている。各案内リブ３８は、位置決め部３５の下端位置と同じ高さ位置から斜め前に向かって傾斜する案内面３８Ａを有する上下に長いリブ状をなしており、電線挿通孔３４に挿入された電線Ｗを案内面３８Ａによって逃がし凹部３７に向けて案内するようになっている。
【００３４】
逃がし凹部３７は、位置ずれ防止部３６の前縁から後方に向けて略円弧状に凹んだ形態で、位置ずれ防止部３６を板厚方向に貫通して形成されており、その幅寸法は、電線Ｗの外径よりもやや大きい設定とされている。また、逃がし凹部３７は、嵌合筒部３１の斜め前上方から嵌合筒部３１、ハウジング本体３３、電線導入部３２を通して電線導入部３２の斜め後下方まで直線的に見通すことが可能な配置とされており、その見通すことができる範囲は、電線挿通孔３４内の後側の位置決め部３５の前端下部を傾斜状にして案内リブ３８を形成したことにより、電線Ｗの外形とほぼ同じ大きさに設定されている。
つまり、リアハウジング３０において逃がし凹部３７と電線導入部３２の下端開口との間には、直線状の電線Ｗが挿通可能な挿通空間Ｓ１が形成された構成となっている。
【００３５】
また、電線挿通孔３４の上方に位置するハウジング本体３３の上側内面には、図２、図４から図８に示すように、一対の補助案内片（「補助案内部」の一例）３９が幅方向に並んだ状態で、端子係止部３３Ａが設けられた位置を中心に幅方向に二組並んで形成されている。各補助案内片３９は、ハウジング本体３３の後面に連なる板状をなしており、一対の補助案内片３９の幅方向の間隔は、電線Ｗの電線径よりも小さく設定されている。言い換えると、一対の補助案内片３９は、図６に示すように、ハウジング本体３３において電線導入部３２の電線挿通孔３４を通して外方に臨む上側内面に幅方向に並んで設けられている。補助案内片３９は、図７に示すように、ハウジング本体３３の後面における上下方向略中央部からハウジング本体３３の前端位置まで傾斜状に延びる補助案内面３９Ａを有しており、例えば、電線挿通孔３４から上方に向けて電線Ｗが真っ直ぐ挿入された際に、補助案内面３９Ａによって電線Ｗを斜め前上方の逃がし凹部３７に向けて案内できるようになっている。
【００３６】
本実施形態は、以上のような構成であって、続いて、シールドコネクタ１０の組み立て手順を説明すると共に、その作用および効果について説明する。
まず、リアハウジング３０の電線導入部３２の下方から電線挿通孔３４内に電線Ｗを挿入し、ハウジング本体３３の収容空間Ｓと嵌合筒部３１の内部空間を通して嵌合筒部３１から引き出すことでリアハウジング３０内に電線Ｗを挿通させる。そして、引き出された電線Ｗの端末にＬ字状端子２０の電線接続部２２を圧着し、電線ＷにＬ字状端子２０を接続する。
【００３７】
ところで、本実施形態の電線Ｗは、電線径が太く剛性が高いことから、柔軟性が悪く屈曲させ難くなっている。このため、電線導入部３２から電線Ｗを挿入し、ハウジング本体３３内で電線Ｗを屈曲させて嵌合筒部３１から電線Ｗを引き出すことは困難であり、電線Ｗの挿通作業性が低下することが懸念される。
【００３８】
しかしながら、本実施形態によると、嵌合筒部３１のシール面３１Ａの前方に配された位置ずれ防止部３６には、図２および図８に示すように、上下に貫通する逃がし凹部３７が設けられており、リアハウジング３０には、逃がし凹部３７の斜め前上方から嵌合筒部３１、ハウジング本体３３、電線導入部３２を通して電線導入部３２の斜め後下方まで直線的に延びる挿通空間Ｓ１が確保されているから、電線挿通孔３４内に挿通された電線Ｗを屈曲させたり、リアハウジング３０と電線Ｗとを干渉させたりすることなく、逃がし凹部３７を通して電線Ｗを引き出したり、引き入れたりすることができる。また、フロントハウジング４０のハウジング側嵌合部４２が嵌合される嵌合筒部３１のシール面３１Ａを確保しつつ、逃がし凹部３７が形成されているから、フロントハウジング４０とリアハウジング３０との間の防水機能を確保しつつ、電線の挿通作業性を向上させることができる。
【００３９】
また、仮に、電線挿通孔３４に対して電線Ｗが後方に軸ずれした状態で挿入される場合には、電線Ｗが一対の案内リブ３８の案内面３８Ａによって逃がし凹部３７に向けて案内されるから、逃がし凹部３７を通して電線Ｗを引き出し易くすることができるようになっている。
さらに、電線挿通孔３４から上方に向けて電線Ｗが真っ直ぐ挿入された際にも、図７に示すように、ハウジング本体３３の補助案内片３９における補助案内面３９Ａによって電線Ｗが逃がし凹部３７に向けて案内されるから、逃がし凹部３７を通して電線Ｗを引き出し易くすることができる。
【００４０】
リアハウジング３０から引き出した電線ＷにＬ字状端子２０が接続されたところで、フロントハウジング４０のキャビティ４４に後方からＬ字状端子２０を挿入し、Ｌ字状端子２０の突部２５がキャビティ４４内の前止まり部に当接することでＬ字状端子２０が正規の収容位置に収容され、電線接続部２２がフロントハウジング４０のハウジング側嵌合部４２の後方に配される。
【００４１】
Ｌ字状端子２０がフロントハウジング４０の正規の収容位置に配されたところで、リアハウジング３０内に挿入した電線Ｗを引き戻すと共に、フロントハウジング４０のハウジング側嵌合部４２をリアハウジング３０の嵌合筒部３１内に嵌合させる。ハウジング側嵌合部４２が嵌合筒部３１内に嵌合されると、フロントハウジング４０の係止突部４５と嵌合筒部３１の弾性係止枠３１Ｃとが前後方向に係止することで、フロントハウジング４０とリアハウジング３０とが嵌合状態にロックされる。
【００４２】
また、ハウジング側嵌合部４２が嵌合筒部３１内に嵌合されると、ハウジング側嵌合部４２の後方に配されたＬ字状端子２０の電線接続部２２がハウジング本体３３の収容空間Ｓ内に収容されると共に、ハウジング側嵌合部４２の第２シールリング４３によってハウジング側嵌合部４２と嵌合筒部３１との間がシールされる。また、ハウジング本体３３の端子係止部３３Ａが端子本体２１の突部２５を後方から係止し、キャビティ４４内に収容されたＬ字状端子２０の後方への抜け止めが図られる。
【００４３】
一方、電線Ｗには、ゴムリングＲを先通ししておき、フロントハウジング４０とリアハウジング３０とが嵌合状態にロックされたところで、電線導入部３２の電線挿通孔３４内にゴムリングＲを挿入し、ゴム栓押さえＲ１によってゴムリングＲを抜け止めすることで、電線挿通孔３４の内周面と電線Ｗとの間が止水される。
【００４４】
最後に、シールドシェル５０のアッパシェル５１をリアハウジング３０に対して上方から組み付け、ロアシェル５２の筒状部５６内に電線導入部３２を嵌合させつつ、アッパシェル５１にロアシェル５２を下方から組み付けてねじ止めする。これにより、嵌合筒部３１の位置ずれ防止部３６とアッパシェル５１の引っ掛け部５３とが前後に係止すると共に、嵌合筒部３１の下端縁部とプレート部５５とが前後に係止することで、リアハウジング３０に対してシールドシェル５０が脱落しないように組み付けられ、図１および図２に示すように、リアハウジング３０全体がシールドシェル５０によって覆われたシールドコネクタ１０が完成する。
【００４５】
以上のように、本実施形態によると、引っ掛け部５３が係止することでシールドシェル５０が後方に位置ずれすることを防ぐ嵌合筒部３１の位置ずれ防止部３６に逃がし凹部３７を形成すると共に、電線挿通孔３４の位置決め部３５を傾斜状にして案内リブ３８を形成したことにより、リアハウジング３０における逃がし凹部３７と電線導入部３２の下端開口との間に直線状の挿通空間Ｓ１を形成したから、電線径が太く柔軟性が悪い電線Ｗであっても、リアハウジング３０と電線Ｗを干渉させることなく、リアハウジング３０内への電線Ｗの挿通作業を容易に実施することができる。これにより、電線Ｗの挿通作業性が向上し、コネクタの組み立て作業性の向上を図ることができる。
【００４６】
また、本実施形態によると、仮に、電線挿通孔３４に対して電線Ｗが後方に軸ずれした状態で挿入される場合でも、電線Ｗが一対の案内リブ３８の案内面３８Ａによって逃がし凹部３７に向けて案内されるから、逃がし凹部３７を通して電線Ｗを引き出し易くすることができる。さらに、例えば、電線挿通孔３４から上方に向けて電線Ｗが真っ直ぐ挿入された際にも、ハウジング本体３３の補助案内片３９における補助案内面３９Ａによって電線Ｗが逃がし凹部３７に向けて案内されるから、逃がし凹部３７を通して電線Ｗを引き出し易くすることができる。
【００４７】
＜他の実施形態＞
本明細書で開示される技術は上記記述及び図面によって説明した実施形態に限定されるものではなく、例えば次のような種々の態様も含まれる。
（１）上記実施形態では、リアハウジング３０における逃がし凹部３７と電線導入部３２の下端開口との間に直線状の挿通空間Ｓ１を形成した構成とした。しかしながら、これに限らず、例えば、逃がし凹部がやや前方に配されたり、電線導入部が上下に長く形成されたりするなどして、逃がし凹部と電線導入部の下端開口との間の挿通空間が直線的に形成されない構成にしてもよい。
（２）上記実施形態では、Ｌ字状端子２０をフロントハウジング４０とリアハウジング３０の端子係止部３３Ａとによって前後から係止する構成とした。しかしながら、これに限らず、フロントハウジングにＬ字状端子を係止するランスなどを設ける構成にしてもよい。
【００４８】
（３）上記実施形態では、フロントハウジング４０内にキャビティ４４が２つ設けられた構成にした。しかしながら、これに限らず、フロントハウジング内に形成されるキャビティが１つであってもよく、３つ以上であってもよい。
（４）上記実施形態では、リアハウジング３０にフロントハウジング４０を嵌合させる構成とした。しかしながら、これに限らず、リアハウジング内にＬ字状端子を収容するキャビティを形成し、フロントハウジングが嵌合されない構成としてもよい。
（５）上記実施形態では、電線導入部３２の開口方向と嵌合筒部３１の開口方向とが直角に交差する構成とした。しかしながら、これに限らず、電線導入部の開口方向と嵌合筒部の開口方向とが任意の角度で交差する構成にしてもよい。
（６）上記実施形態では、案内部として、リブ状の案内リブ３８を幅方向に一対並べて構成し、補助案内部として、板状の補助案内片３９を幅方向に一対並べて構成した。しかしながら、これに限らず、案内部を、幅広な案内面を有するブロック状に構成してもよく、補助案内部を、幅広な補助案内面を有するブロック状に構成してもよい。
【符号の説明】
【００４９】
１０：シールドコネクタ（コネクタ）
２０：Ｌ字状端子（端子）
３０：リアハウジング（ハウジング）
３１：嵌合筒部（電線出入部）
３２：電線導入部
３３：ハウジング本体
３５：位置決め部
３６：位置ずれ防止部
３７：逃がし凹部
３８：案内リブ（案内部）
３９：補助案内片（補助案内部）
４０：フロントハウジング
４３：第２シールリング（シール部材）
５０：シールドシェル
Ｒ：ゴムリング
Ｓ１：挿通空間
Ｗ：電線
【図１】
2016048604.tif 000003
【図２】
2016048604.tif 000004
【図３】
2016048604.tif 000005
【図４】
2016048604.tif 000006
【図５】
2016048604.tif 000007
【図６】
2016048604.tif 000008
【図７】
2016048604.tif 000009
【図８】
2016048604.tif 000010